(57)【要約】【課題】既存のコンテンツ処理部を変更することなく、簡易な構成で、自動的に３Ｄ用コンテンツを認識して３Ｄ再生することができる立体映像再生装置を提供する。【解決手段】立体映像再生装置１は、コンテンツに付与された固有情報にそのコンテンツが立体映像用コンテンツであることを示す情報が含まれているか否かを判定する制御部７′と、制御部７′により立体映像用コンテンツであることを示す情報が含まれていると判定された場合、コンテンツを立体映像表示するように制御する表示制御部５とを備える。【選択図】図１
2012099905.tif 000002
【特許請求の範囲】
【請求項１】
立体映像用コンテンツに基づいて立体映像を再生する立体映像再生装置であって、
コンテンツに付与された固有情報に該コンテンツが立体映像用コンテンツであることを示す情報が含まれているか否かを判定する制御部と、該制御部により立体映像用コンテンツであることを示す情報が含まれていると判定された場合、前記コンテンツを立体映像表示するように制御する表示制御部とを備えたことを特徴とする立体映像再生装置。
【請求項２】
請求項１に記載の立体映像再生装置において、前記コンテンツに付与された固有情報は、該コンテンツのファイル名、フォルダ名、ベンダ名のいずれかであることを特徴とする立体映像再生装置。
【請求項３】
請求項１又は２に記載の立体映像再生装置において、前記立体映像用コンテンツは、右眼用映像信号の１フレームと左眼用映像信号の１フレームの２つのフレームがそれぞれ水平方向に１／２圧縮され、該圧縮された２つのフレームを横に並べて１つのフレームとして構成されたものであることを特徴とする立体映像再生装置。
【請求項４】
請求項１又は２に記載の立体映像再生装置において、前記立体映像用コンテンツは、右眼用映像信号の１フレームと左眼用映像信号の１フレームの２つのフレームがそれぞれ垂直方向に１／２圧縮され、該圧縮された２つのフレームを縦に並べて１つのフレームとして構成されたものであることを特徴とする立体映像再生装置。
【発明の詳細な説明】
【技術分野】
【０００１】
本発明は、立体映像再生装置に関し、より詳細には、平面映像（２Ｄ映像）と立体映像（３Ｄ映像）とを切り替えて再生することができる立体映像再生装置に関する。
【背景技術】
【０００２】
近年、３Ｄ映像の再生機能を搭載したテレビ装置や携帯端末などが注目されており、３Ｄ映像を再生するための様々な方法が提案されている。一般的に用いられているのは両眼視差を利用した２眼式と呼ばれるものである。これによれば、視聴者の左眼には左眼用映像、右眼には右眼用映像をそれぞれ入射させることで、左右映像の視差量に応じた立体視を行うことができる。
【０００３】
また、３Ｄ用コンテンツを生成する方式の１つとして、サイドバイサイド方式によるものが知られている。このサイドバイサイド方式は、右眼用映像信号の１フレーム（右眼用フレーム）と左眼用映像信号の１フレーム（左眼用フレーム）の２つのフレームをそれぞれ水平方向に１／２に圧縮し、これら圧縮した２つのフレームを横に並べて１つのフレームとして生成するようにしたものである。このサイドバイサイド方式で生成された３Ｄ用コンテンツは、再生時に、右眼用フレーム及び左眼用フレームそれぞれが水平方向に伸張され、３Ｄメガネを用いるフレームシーケンシャル方式あるいは３Ｄメガネを必要としない視差（パララックス）バリア方式などにより３Ｄ表示される。
【０００４】
しかしながら、３Ｄ再生機能を持たない一般的なテレビでサイドバイサイド方式の３Ｄ用コンテンツを再生すると、水平方向に圧縮された映像（左眼用映像、右眼用映像）が２つ横並びに表示されるだけで立体視することができない。このため、上記の３Ｄ用コンテンツを３Ｄ再生するためには再生装置側が３Ｄに対応している必要がある。つまり、再生装置はフレームシーケンシャル方式あるいは視差バリア方式などの３Ｄ表示方式に対応しており、２Ｄ表示と３Ｄ表示を切り替える機能を備える必要があるが、従来の立体映像再生装置は３Ｄ用コンテンツを自動的に認識する機能を持たないものが多く、ユーザがその都度手動で切り替えることで３Ｄ表示を可能としていた。
【０００５】
図４は、２Ｄ表示と３Ｄ表示をユーザが切り替える一般的な立体映像再生装置の構成例を示すブロック図で、図中、１は立体映像再生装置を示す。立体映像再生装置１は、記憶部２、コンテンツ処理部３、画像信号処理部４、表示制御部５、表示部６、制御部７、操作部８、音声信号処理部９、及びスピーカ１０を備える。この立体映像再生装置１は３Ｄ用コンテンツ自動認識機能を備えていないため、ユーザが３Ｄ表示への切替操作を行わない限り、サイドバイサイド方式で生成された３Ｄ用コンテンツ１００を再生しても３Ｄ表示することはできない。これについて図５に基づいて説明する。
【０００６】
図５は、図４に示す立体映像再生装置１により３Ｄ用コンテンツ１００を再生する場合の処理について説明するためのフロー図である。この立体映像再生装置１は２Ｄ表示をデフォルト設定とし、ユーザが３Ｄ表示に切り替えを行わない限り２Ｄ表示を行う。まず、立体映像再生装置１は、メモリカードなどの記憶部２から３Ｄ用コンテンツ１００を読み出すと（ステップＳ１０１）、３Ｄ用コンテンツ１００はコンテンツ処理部３に入力され、コンテンツ処理部３で３Ｄ用コンテンツ１００がどのようなデータ形式で符号化されたものであるか特定される（ステップＳ１０２）。
【０００７】
次に、ステップＳ１０２で特定されたデータ形式に応じた処理部で３Ｄ用コンテンツ１００のヘッダが解析される（ステップＳ１０３）。例えば、データがＷＭＶ(Windows Media Video)形式であればＷＭＶ処理部３１によりヘッダ解析が行われ、ＡＶＩ(Audio Video Interleaving)形式であればＡＶＩ処理部３２によりヘッダ解析が行われ、ＭＰ４形式であればＭＰ４処理部３３によりヘッダ解析が行われる。なお。ＭＰ４は、ＭＰＥＧ(Moving Picture Experts Group)-４形式の圧縮動画データを格納するファイル形式の１つである。
【０００８】
ここで、本例の立体映像再生装置１は３Ｄ用コンテンツ自動認識機能を持たないため、上記のステップＳ１０３において、３Ｄ用コンテンツ１００が３Ｄ用に生成されたコンテンツであることを認識することができない。
【０００９】
そして、コンテンツ処理部３の例えばＷＭＶ処理部３１は、３Ｄ用コンテンツ１００のヘッダの解析結果に基づいて、復号に必要なパラメータを画像信号処理部４にセットする（ステップＳ１０４）。画像信号処理部４は、セットされたパラメータに基づいて、所定の形式（本例の場合、ＷＭＶ）により符号化されている３Ｄ用コンテンツ１００を復号し、復号した３Ｄ用コンテンツ１００に各種画像処理を施して表示制御部５に出力する。表示制御部５は、３Ｄ用コンテンツ１００をサイドバイサイドの２Ｄ映像１０１のまま表示部６に表示する（ステップＳ１０５）。なお、３Ｄ用コンテンツ１００に音声信号が含まれている場合には、音声信号処理部９及びスピーカ１０により音声が再生出力される。
【００１０】
図５のフローにおいて、点線で囲まれたステップ（図５の例では、ステップＳ１０３及びステップＳ１０４）は、コンテンツ処理部３におけるステップであることを示し、後述の図６、図３のフローでも同様とする。
【００１１】
上記の立体映像再生装置１の場合、ユーザが３Ｄ表示への切り替えを行っていないため、２Ｄ映像１０１に示すように、水平方向に圧縮された映像（左眼用映像、右眼用映像）が２つ横並びのまま表示されてしまう。従って、３Ｄ用コンテンツ１００を３Ｄ表示させるためには、ユーザが操作部８を操作して３Ｄ表示へ切り替える必要がある。操作部８により３Ｄ表示への切り替えが行われた場合、制御部７の制御に基づいて、画像信号処理部４は左眼用及び右眼用の圧縮映像それぞれを水平方向に伸張し、表示制御部５は画像信号処理部４で伸張された左眼用映像及び右眼用映像をフレームシーケンシャル方式あるいは視差バリア方式で表示部６に３Ｄ表示させる。
【００１２】
これに対して、例えば、特許文献１には、コンテンツの制御情報にコンテンツが３Ｄ映像であることを示す情報を含ませておき、この制御情報に基づいて、３Ｄ映像を再生する立体映像再生装置が記載されている。このように、再生するコンテンツが３Ｄ用コンテンツであることを再生装置に認識させることで、再生装置側で２Ｄ表示と３Ｄ表示を自動的に切り替えて３Ｄ映像を表示させることができる。
【先行技術文献】
【特許文献】
【００１３】
【特許文献１】特開２００５−７３０４９号公報
【発明の概要】
【発明が解決しようとする課題】
【００１４】
図６は、３Ｄ用コンテンツ自動認識機能を備えた立体映像再生装置による処理について説明するためのフロー図である。本例の場合、３Ｄ用コンテンツ１００のヘッダに予め３Ｄ用に生成されたコンテンツであることを示す３Ｄ情報を付加しておき、コンテンツ処理部３でこの３Ｄ情報を解析するように構成されている。従って、前述の図４において、コンテンツ処理部３に３Ｄ情報解析機能が追加されている。また、本例でも２Ｄ表示をデフォルト設定として説明する。
【００１５】
まず、立体映像再生装置１は、記憶部２からコンテンツが読み出されると（ステップＳ１１１）、コンテンツはコンテンツ処理部３に入力され、コンテンツ処理部３でコンテンツがどのようなデータ形式で符号化されたものであるか特定される（ステップＳ１１２）。次に、ステップＳ１１２で特定されたデータ形式に応じた処理部でコンテンツのヘッダが解析される（ステップＳ１１３）。ここでは、例えば、コンテンツのデータ形式がＷＭＶ形式と特定され、ＷＭＶ処理部３１によりコンテンツのヘッダ解析が行われる。
【００１６】
ＷＭＶ処理部３１は、コンテンツが３Ｄ用コンテンツ１００であるか否か、具体的には、ヘッダの中に３Ｄ情報が付加されているか否かを解析する（ステップＳ１１４）。ＷＭＶ処理部３１は、３Ｄ用コンテンツ１００であることを示す３Ｄ情報が付加され、コンテンツが３Ｄ用コンテンツ１００であると判定した場合（ステップＳ１１４のＹＥＳの場合）、表示制御部５及び画像信号処理部４にコンテンツが３Ｄ用コンテンツ１００であることを通知する（ステップＳ１１５）。また、ＷＭＶ処理部３１は、３Ｄ用コンテンツ１００であることを示す３Ｄ情報が付加されておらず、コンテンツが３Ｄ用コンテンツ１００ではないと判定した場合（ステップＳ１１４のＮＯの場合）、ステップＳ１１６に移行する。
【００１７】
そして、ＷＭＶ処理部３１は、ステップＳ１１３におけるコンテンツのヘッダの解析結果に基づいて、復号に必要なパラメータを画像信号処理部４にセットする（ステップＳ１１６）。画像信号処理部４は、セットされたパラメータに基づいて、所定の形式（本例の場合、ＷＭＶ）により符号化されているコンテンツを復号し、復号したコンテンツに各種画像処理を施して表示制御部５に出力する。なお、画像信号処理部４は、コンテンツが３Ｄ用コンテンツ１００であるとの通知を受けた場合、サイドバイサイドで横並びに配置された左眼用及び右眼用の圧縮映像それぞれを水平方向に伸張する処理を行う。
【００１８】
そして、表示制御部５は、画像信号処理部４で画像処理されたコンテンツを表示部６に表示させるが、３Ｄ用コンテンツ１００であれば、画像信号処理部４で伸張された左眼用映像及び右眼用映像をフレームシーケンシャル方式あるいは視差バリア方式で表示部６に３Ｄ表示させる。また、３Ｄ用コンテンツ１００でない場合、２Ｄ映像を表示部６に表示させる（ステップＳ１１７）。なお、コンテンツに音声信号が含まれている場合には、音声信号処理部９及びスピーカ１０により音声が再生出力される。
【００１９】
上記の立体映像再生装置１の場合、３Ｄ用コンテンツ自動認識機能を備えているため、３Ｄ用コンテンツを自動的に認識し、これを３Ｄ再生することができるが、コンテンツ処理部３において入力コンテンツのヘッダに付加された３Ｄ情報を解析して、３Ｄ用コンテンツであることを認識する必要がある。また、３Ｄ情報の解析方法はデータ形式に応じて異なるため、コンテンツ処理部３の各処理部（ＷＭＶ処理部３１、ＡＶＩ処理部３２、ＭＰ４処理部３３）毎に３Ｄ情報解析機能を持たせる必要がある。
【００２０】
このように、立体映像再生装置１に３Ｄ用コンテンツを自動認識させるためには、前述の図４に示した既存のコンテンツ処理部３の構成を変更する必要がある。具体的には、全てのデータ形式に対応させるために、各データ形式に対応する個々の処理部（ＷＭＶ、ＡＶＩ、ＭＰ４）それぞれについて上記の３Ｄ情報解析機能を追加しなくてはならないため、３Ｄ情報解析機能の実装に手間がかかるという問題があった。
【００２１】
本発明は、上述のごとき実情に鑑みてなされたもので、既存のコンテンツ処理部を変更することなく、簡易な構成で、自動的に３Ｄ用コンテンツを認識して３Ｄ再生することができる立体映像再生装置を提供すること、を目的とする。
【課題を解決するための手段】
【００２２】
上記課題を解決するために、本発明の第１の技術手段は、立体映像用コンテンツに基づいて立体映像を再生する立体映像再生装置であって、コンテンツに付与された固有情報に該コンテンツが立体映像用コンテンツであることを示す情報が含まれているか否かを判定する制御部と、該制御部により立体映像用コンテンツであることを示す情報が含まれていると判定された場合、前記コンテンツを立体映像表示するように制御する表示制御部とを備えたことを特徴としたものである。
【００２３】
第２の技術手段は、第１の技術手段において、前記コンテンツに付与された固有情報は、該コンテンツのファイル名、フォルダ名、ベンダ名のいずれかであることを特徴としたものである。
【００２４】
第３の技術手段は、第１又は第２の技術手段において、前記立体映像用コンテンツは、右眼用映像信号の１フレームと左眼用映像信号の１フレームの２つのフレームがそれぞれ水平方向に１／２圧縮され、該圧縮された２つのフレームを横に並べて１つのフレームとして構成されたものであることを特徴としたものである。
【００２５】
第４の技術手段は、第１又は第２の技術手段において、前記立体映像用コンテンツは、右眼用映像信号の１フレームと左眼用映像信号の１フレームの２つのフレームがそれぞれ垂直方向に１／２圧縮され、該圧縮された２つのフレームを縦に並べて１つのフレームとして構成されたものであることを特徴としたものである。
【発明の効果】
【００２６】
本発明によれば、コンテンツのファイル名などに３Ｄであることを示す情報が含まれているか否かを判定するだけで、コンテンツが３Ｄ用コンテンツであることを自動的に認識できるため、既存のコンテンツ処理部を変更することなく、簡易な構成で、３Ｄ再生することができる。
【図面の簡単な説明】
【００２７】
【図１】本発明の一実施形態に係る立体映像再生装置の構成例を示すブロック図である。
【図２】視差バリア方式を説明するための図である。
【図３】本発明の立体映像再生装置にコンテンツ再生方法の一例を説明するためのフロー図である。
【図４】２Ｄ表示と３Ｄ表示をユーザが切り替える一般的な立体映像再生装置の構成例を示すブロック図である。
【図５】図４に示す立体映像再生装置により３Ｄ用コンテンツを再生する場合の処理について説明するためのフロー図である。
【図６】３Ｄ用コンテンツ自動認識機能を備えた立体映像再生装置による処理について説明するためのフロー図である。
【発明を実施するための形態】
【００２８】
以下、添付図面を参照しながら、本発明の立体映像再生装置に係る好適な実施の形態について説明する。
【００２９】
図１は、本発明の一実施形態に係る立体映像再生装置の構成例を示すブロック図である。本発明の立体映像再生装置１は、３Ｄ用コンテンツ１００を記憶するメモリカードなどの記憶部２と、コンテンツのデータ形式に応じて異なる複数のデータ解析部（ＷＭＶ処理部３１、ＡＶＩ処理部３２、ＭＰ４処理部３３）により構成されたコンテンツ処理部３と、コンテンツ処理部３の解析結果に基づいて画像信号を復号し、復号した画像信号に各種画像処理を施す画像信号処理部４とを備える。なお、コンテンツ処理部３は、データ形式に応じた解析部であり、解析可能なデータ形式は上記のＷＭＶ、ＡＶＩ、ＭＰ４に限定されるものではない。
【００３０】
上記において、３Ｄ用コンテンツ１００は、本発明の立体映像用コンテンツに相当し、右眼用映像信号の１フレームと左眼用映像信号の１フレームの２つのフレームがそれぞれ水平方向に１／２圧縮され、圧縮された２つのフレームを横に並べて１つのフレームとして構成されたものである。すなわち、本例では、３Ｄ用コンテンツ１００をサイドバイサイド方式で生成されたコンテンツとして説明するが、この方式に限定されるものではなく、例えば、トップアンドボトム方式で生成されたものであってもよい。このトップアンドボトム方式の場合、右眼用映像信号の１フレームと左眼用映像信号の１フレームの２つのフレームがそれぞれ垂直方向に１／２圧縮され、圧縮された２つのフレームを縦に並べて１つのフレームとして構成される。
【００３１】
なお、上記の３Ｄコンテンツの例は、右眼用映像及び左眼用映像を１／２圧縮するハーフ映像の場合について示したものであるが、これは一例であり、右眼用映像及び左眼用映像の圧縮を行わないフル映像であってもよいことは言うまでもない。
【００３２】
また、立体映像再生装置１は、画像信号処理部４で処理された画像信号の表示を制御する表示制御部５と、３Ｄ表示と２Ｄ表示の両方に対応したＬＣＤ(Liquid Crystal Display)などの表示部６と、立体映像再生装置１の動作を制御する制御部７′と、ユーザによる操作入力を行うための操作部８と、コンテンツ処理部３の解析結果に基づいて音声信号を復号する音声信号処理部９と、音声信号処理部９で処理された音声信号を出力するスピーカ１０とを備える。この立体映像再生装置１は、基本的に前述の図４と同様の構成を備えているが、制御部７′の構成が異なっている。これについては後述する。
【００３３】
ここで、表示制御部５及び表示部６は、３Ｄ表示と２Ｄ表示の両方に対応している。具体的には、３Ｄ表示を行うために、例えば、３Ｄメガネを必要とするフレームシーケンシャル方式あるいは３Ｄメガネを必要としない視差バリア方式に対応しているが、ここでは視差バリア方式について図２に基づいて説明する。なお、図２ではバックライトの記載を省略する。図２（Ａ）は、視差バリア方式により視差が生じる原理を示す図であり、表示パネル６１の前面に視差バリア６２が設けられている。図２（Ｂ）は、視差バリア方式による左眼用映像と右眼用映像の配置例を示す図であり、左眼用映像と右眼用映像が水平方向１画素おきに交互に並んだ形で配置されている。
【００３４】
視差バリア方式では、図２（Ｂ）に示すような映像を、表示パネル６１に表示し、同一視点の画素の間隔よりも狭い間隔でスリットを持つ視差バリア６２を介することにより、左眼用映像は左眼１１Ｌだけで、右眼用映像は右眼１１Ｒだけで観察することになり、立体視を行うことができる。そして、この視差バリア６２をスイッチ液晶で構成することで、３Ｄ表示と２Ｄ表示を切り替えることができる。
【００３５】
すなわち、３Ｄ用コンテンツ１００を３Ｄ表示する場合、サイドバイサイドで横並びに配置された左眼用及び右眼用の圧縮映像それぞれを水平方向に伸張する処理を行い、左眼用伸張映像及び右眼用伸張映像を１画素おきに表示パネル６１に表示する。そして、スイッチ液晶で構成された視差バリア６２を不透過に制御することで、立体視を行うことができる。また、通常の２Ｄ映像をそのまま２Ｄ表示する場合、２Ｄ映像を表示パネル６１に表示し、視差バリア６２を透明に制御することで、平面視することができる。
【００３６】
図１において、制御部７′は、記憶部２に記憶されているコンテンツに付与された固有情報にこのコンテンツが３Ｄ用コンテンツ１００であることを示す情報（以下、３Ｄ情報という）が含まれているか否かを判定する。そして、表示制御部５は、制御部７′により３Ｄ情報が含まれていると判定された場合、このコンテンツを立体映像表示するように制御する。上記の固有情報とは、例えば、コンテンツのファイル名、フォルダ名、ベンダ名のいずれかである。図１の例では、記憶部２に記憶されているコンテンツのファイル名が“イロハ３Ｄ”であり、制御部７′はこのファイル名を参照することで“３Ｄ”を検出し、当該コンテンツが３Ｄ用コンテンツ１００であると判定する。この３Ｄ情報をどのようなものにするかは予め決めておけばよい。この例では、ファイル名に“３Ｄ”が含まれていれば、３Ｄ用に生成されたコンテンツと判定される。
【００３７】
なお、コンテンツのフォルダ名、コンテンツ提供元（メーカなど）を示すベンダ名であってもよい。基本的には、上記のファイル名と同じであるが、フォルダ名、ベンダ名に例えば“３Ｄ”が含まれていれば、３Ｄ用コンテンツと判定される。なお、ファイル名、フォルダ名、ベンダ名などは、例えば、コンテンツのプロパティなどから取得するようにしてもよい。このプロパティは、一般的にＯＳ(Operating System)上で管理されており、例えば、制御部７′は、操作部８からコンテンツの再生指示を受けると、ＯＳ機能を利用して、ファイル名、フォルダ名、ベンダ名などの情報を取得することができる。
【００３８】
制御部７′は、記憶部２に記憶されているコンテンツのファイル名から３Ｄ用コンテンツ１００であると判定すると、その旨を画像信号処理部４及び表示制御部５に通知する。ここで、上記の“３Ｄ”を、“３ＤＳＢＳ”などとすれば、サイドバイサイド方式の３Ｄ用コンテンツであることを通知することができる。この通知を受けた画像信号処理部４は、サイドバイサイドで横並びに配置された左眼用及び右眼用の圧縮映像それぞれを水平方向に伸張する処理を行い、表示制御部５は、画像信号処理部４で伸張された左眼用伸張映像及び右眼用伸張映像を視差バリア方式で３Ｄ表示するように表示部６の表示を制御する。
【００３９】
本発明では、制御部７′に、コンテンツのファイル名から３Ｄ用コンテンツで有るか否かを判定する機能を追加するだけで、３Ｄ用コンテンツ自動認識機能を実現することができるため、図６で説明したように、コンテンツ処理部３を構成する各処理部（ＷＭＶ処理部３１、ＡＶＩ処理部３２、ＭＰ４処理部３３）毎に３Ｄ情報解析機能を追加する必要がない。つまり、図４に示した既存のコンテンツ処理部３を変更する必要がなく、簡易な構成で、自動的に３Ｄ再生することができる。
【００４０】
図３は、本発明の立体映像再生装置にコンテンツ再生方法の一例を説明するためのフロー図である。本例でも２Ｄ表示をデフォルト設定として説明する。まず、ユーザが操作部８から所望のコンテンツの再生を要求すると、そのコンテンツを記憶部２から読み出す（ステップＳ１）。この際、制御部７′は、記憶部２から読み出すコンテンツのファイル名に３Ｄ情報が有るか否かを判定し（ステップＳ２）、ファイル名に３Ｄ情報が有ると判定した場合（ＹＥＳの場合）、表示制御部５及び画像信号処理部４に対して、再生するコンテンツが３Ｄ用コンテンツ１００であることを通知する（ステップＳ３）。また、ステップＳ２において、ファイル名に３Ｄ情報が無いと判定した場合（ＮＯの場合）、ステップＳ４に移行する。
【００４１】
そして、記憶部２から読み出されたコンテンツはコンテンツ処理部３に入力され、コンテンツ処理部３でコンテンツがどのようなデータ形式で符号化されたものであるか特定される（ステップＳ４）。
【００４２】
次に、ステップＳ４で特定されたデータ形式に応じた処理部でコンテンツのヘッダが解析される（ステップＳ５）。例えば、データがＷＭＶ形式であればＷＭＶ処理部３１によりヘッダ解析が行われ、ＡＶＩ形式であればＡＶＩ処理部３２によりヘッダ解析が行われ、ＭＰ４形式であればＭＰ４処理部３３によりヘッダ解析が行われる。
【００４３】
ここで、本発明の立体映像再生装置１では、制御部７′により３Ｄ用コンテンツ自動認識機能が実現されるため、上記のステップＳ５において、再生するコンテンツが３Ｄ用に生成されたコンテンツであることを認識する必要がない。
【００４４】
そして、コンテンツ処理部３の例えばＷＭＶ処理部３１は、コンテンツのヘッダの解析結果に基づいて、復号に必要なパラメータを画像信号処理部４にセットする（ステップＳ６）。画像信号処理部４は、セットされたパラメータに基づいて、所定の形式（本例の場合、ＷＭＶ）により符号化されているコンテンツを復号し、復号したコンテンツに各種画像処理を施して表示制御部５に出力する。なお、画像信号処理部４は、コンテンツが３Ｄ用コンテンツ１００であるとの通知を受けた場合、サイドバイサイドで横並びに配置された左眼用及び右眼用の圧縮映像それぞれを水平方向に伸張する処理を行う。
【００４５】
そして、表示制御部５は、画像信号処理部４で画像処理されたコンテンツを表示部６に表示させるが、コンテンツが３Ｄ用コンテンツ１００であれば、画像信号処理部４で伸張された左眼用伸張映像及び右眼用伸張映像を視差バリア方式で表示部６に３Ｄ表示させる。また、コンテンツが３Ｄ用コンテンツ１００でない場合、２Ｄ映像を表示部６に表示する（ステップＳ７）。なお、再生するコンテンツに音声信号が含まれている場合には、音声信号処理部９及びスピーカ１０により音声が再生出力される。
【符号の説明】
【００４６】
１…立体映像再生装置、２…記憶部、３…コンテンツ処理部、４…画像信号処理部、５…表示制御部、６…表示部、７，７′…制御部、８…操作部、９…音声信号処理部、１０…スピーカ、３１…ＷＭＶ処理部、３２…ＡＶＩ処理部、３３…ＭＰ４処理部。
【図１】
2012099905.tif 000003
【図２】
2012099905.tif 000004
【図３】
2012099905.tif 000005
【図４】
2012099905.tif 000006
【図５】
2012099905.tif 000007
【図６】
2012099905.tif 000008